(57)【要約】【課題】記録媒体に記録されたデータを様々な再生装置で再生可能な形式に変換することができる記録制御装置及び記録制御プログラムを提供することにある。【解決手段】記録制御装置１０に装填される記録媒体（記録カードＭ、記録媒体Ｄ）に記録された特定の再生装置（パソコン）で再生可能なデータを取得し、この取得したデータを他の再生装置（ＤＶＤプレーヤ等）で再生可能なファイル形式に変換を行った後、当該変換済みのデータを装填された記録媒体（記録カードＭ、記録媒体Ｄ）に記録する。【選択図】図１
2005222661.tif 000002
【特許請求の範囲】
【請求項１】
特定の再生装置で再生可能な特定情報を記録媒体から取得する取得手段と、
前記取得された特定情報を他の再生装置で再生可能な所定の形式に変換するデータ処理手段と、
前記所定の処理が施された特定情報を前記記録媒体に記録する記録制御手段と、
を備えたことを特徴とする記録制御装置。
【請求項２】
前記記録制御手段は、前記記録媒体に記録された特定情報が取得された後、当該記録媒体に記録された特定情報を消去し、前記所定の処理が施された特定情報を前記記録媒体に記録することを特徴とする請求項１に記載の記録制御装置。
【請求項３】
前記記録制御手段は、前記取得された特定情報及び／又は所定の処理が施された特定情報を当該記録媒体とは異なる記録媒体に記録することを特徴とする請求項１又は２に記載の記録制御装置。
【請求項４】
前記記録制御手段は、前記取得された特定情報及び／又は所定の処理が施された特定情報を予め定められた所定の形式で記録することを特徴とする請求項１〜３の何れか一項に記載の記録制御装置。
【請求項５】
コンピュータに、
特定の再生装置で再生可能な特定情報を記録媒体から取得する取得機能と、
前記取得された特定情報を他の再生装置で再生可能な所定の形式に変換するデータ処理機能と、
前記所定の処理が施された特定情報を前記記録媒体に記録する記録制御機能と、
を実現させるための記録制御プログラム。
【請求項６】
前記記録制御機能は、前記記録媒体に記録された特定情報が取得された後、当該記録媒体に記録された特定情報を消去し、前記所定の処理が施された特定情報を前記記録媒体に記録することを特徴とする請求項５に記載の記録制御プログラム。
【請求項７】
前記記録制御機能は、前記取得された特定情報及び／又は所定の処理が施された特定情報を当該記録媒体とは異なる記録媒体に記録することを特徴とする請求項５又は６に記載の記録制御プログラム。
【請求項８】
前記記録制御機能は、前記取得された特定情報及び／又は所定の処理が施された特定情報を予め定められた所定の形式で記録することを特徴とする請求項５〜７の何れか一項に記載の記録制御プログラム。
【発明の詳細な説明】
【技術分野】
【０００１】
本発明は、記録制御装置及び記録制御プログラムに関する。
【背景技術】
【０００２】
近年、カメラ等の撮影機器で撮影した写真をデジタル画像データとして取り扱うユーザが増えている。例えば、デジタルカメラでは、メモリカード等の記録媒体に記憶された画像データをパソコン等のコンピュータ端末で読み込み、パソコンにインストールされた画像表示ソフトで再生することにより気軽に写真を閲覧することができる。
【０００３】
また、フィルムカメラで撮影した写真をデジタル画像データに変換するサービスも行われており、例えば、ラボ等のフォトサービス店舗やコンビニエンスストア（以下、コンビニという。）等の注文店舗に撮影したネガフィルムを持ち込むと、フォトサービス店舗では、ネガフィルムを現像した後、スキャナ等でデジタルデータとして読み取り、読み取った画像データをＣＤ−Ｒ等の記録媒体に書き込みするといったサービスが行われている。
【０００４】
そして、画像情報が書き込まれたＣＤ−Ｒ等の記録媒体を受け取ったユーザは、自宅のパソコン等のコンピュータ端末を用いて再生することによりネガフィルムに記録された写真から読み取った画像情報をパソコン上で閲覧することができ、デジタルカメラを所有していないユーザであっても、写真をデジタル画像データとして取り扱うことができる。
【０００５】
また、特許文献１には、デジタルカメラ等で使用されるメモリカード等の記録媒体に記録された画像データをＣＤ−Ｒ等の記録媒体に記録した後にメモリカードの記録を消去して、メモリカードの記憶容量を復活させる記録装置が提案されている。
【特許文献１】特開２００１−３１９４１０号公報
【発明の開示】
【発明が解決しようとする課題】
【０００６】
しかしながら、デジタルカメラ等で生成される画像データはパソコンでの再生を前提として生成されており、静止画を記録する一般的なファイル形式であるＪＰＥＧ形式等により構成されているため、パソコン以外の再生装置では再生できない場合がある。また、上述したＣＤ−Ｒ書き込みサービスや特許文献１の記録装置により画像データをＣＤ−Ｒ等の記録媒体に記録したとしても、ファイル形式の変換等は行われないため、パソコン以外の再生装置では同様に再生できない場合がある。
【０００７】
本発明の課題は、記録媒体に記録されたデータを様々な再生装置で再生可能な形式に変換することができる記録制御装置及び記録制御プログラムを提供することにある。
【課題を解決するための手段】
【０００８】
請求項１の発明は、
特定の再生装置で再生可能な特定情報を記録媒体から取得する取得手段と、
前記取得された特定情報を他の再生装置で再生可能な所定の形式に変換するデータ処理手段と、
前記所定の処理が施された特定情報を前記記録媒体に記録する記録制御手段と、
を備えたことを特徴としている。
【０００９】
ここで、「記録媒体」とは、スマートメディア、コンパクトフラッシュ（登録商標）、メモリースティック（登録商標）、ＳＤメモリーカード、マルチメディアカード、ＨＤＤ、ＣＤ−ＲＷ、ＤＶＤ−ＲＡＭ、ＤＶＤ±ＲＷ、ＭＯ等の書き換え可能な記録媒体である。また、請求項３及び８に記載の「異なる記録媒体」とは、上記した記録媒体に加えＣＤ−Ｒ、ＤＶＤ±Ｒ、ブルーレイディスク（Blu-ray Disk）等の追記型の記録媒体を含むものである。また、「特定情報」とは、静止画像データ、動画データ、音声や音楽等の音データ等である。
【００１０】
請求項２の発明は、請求項１に記載の発明において、
前記記録制御手段は、前記記録媒体に記録された特定情報が取得された後、当該記録媒体に記録された特定情報を消去し、前記所定の処理が施された特定情報を前記記録媒体に記録することを特徴としている。
【００１１】
請求項３の発明は、請求項１又は２に記載の発明において、
前記記録制御手段は、前記取得された特定情報及び／又は所定の処理が施された特定情報を当該記録媒体とは異なる記録媒体に記録することを特徴としている。
【００１２】
請求項４の発明は、請求項１〜３の何れか一項に記載の発明において、
前記記録制御手段は、前記取得された特定情報及び／又は所定の処理が施された特定情報を予め定められた所定の形式で記録することを特徴としている。
【００１３】
請求項５の発明は、
コンピュータに、
特定の再生装置で再生可能な特定情報を記録媒体から取得する取得機能と、
前記取得された特定情報を他の再生装置で再生可能な所定の形式に変換するデータ処理機能と、
前記所定の処理が施された特定情報を前記記録媒体に記録する記録制御機能と、
を実現させる。
【００１４】
ここで、コンピュータとは、バスで接続されたＣＰＵ、ＲＯＭ、ＲＡＭ及びＩ／Ｏを基本構成とする装置であって、マイクロコンピュータ、マイクロプロセッサ等を含み、その組み込み先装置の如何（例えば、パソコン、キオスク、店頭端末、ＤＶＤレコーダ、ＨＤＤレコーダ、ブルーレイディスクレコーダ、ホームサーバ、ゲーム機、ＨＤＤナビゲーションシステム等）を問わない。したがって、本発明に係るプログラムは上記コンピュータのＲＯＭ等に格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００１５】
請求項６の発明は、請求項５に記載の発明において、
前記記録制御機能は、前記記録媒体に記録された特定情報が取得された後、当該記録媒体に記録された特定情報を消去し、前記所定の処理が施された特定情報を前記記録媒体に記録することを特徴としている。
【００１６】
請求項７の発明は、請求項５又は６に記載の発明において、
前記記録制御機能は、前記取得された特定情報及び／又は所定の処理が施された特定情報を当該記録媒体とは異なる記録媒体に記録することを特徴としている。
【００１７】
請求項８に記載の発明は、請求項５〜７の何れか一項に記載の発明において、
前記記録制御機能は、前記取得された特定情報及び／又は所定の処理が施された特定情報を予め定められた所定の形式で記録することを特徴としている。
【発明の効果】
【００１８】
請求項１、５に記載の発明によれば、特定の再生装置で再生可能な特定情報を記録媒体から取得し、この特定情報を他の再生装置で再生可能な所定の形式に変換して記録媒体に記録することにより、予め記録媒体に記録されていた特定情報を再生不可能な装置であっても、他の再生装置の規格に準拠した形式に変換することができるため、特定情報を様々な再生装置で再生可能とすることができる。
【００１９】
請求項２、６に記載の発明によれば、記録媒体に記録されている特定情報を削除して、所定の処理が施された特定情報を記録媒体に記録することにより、記録媒体の記録容量を効率的に活用することができる。
【００２０】
請求項３、７に記載の発明によれば、取得した特定情報及び／又は所定の処理が施された特定情報を記憶手段に記録することにより、記録媒体に他の特定情報等を上書き記録した場合や障害等により記録媒体に記録された特定情報及び／又は所定の処理が施された特定情報が失われた場合であっても、記憶手段から特定情報及び／又は所定の処理が施された特定情報を取得することができる。
【００２１】
請求項４、８に記載の発明によれば、取得した特定情報及び／又は所定の処理が施された特定情報を予め定められた形式で記録することにより、再生を行う装置の仕様に応じた形式で記録することができる。したがって、所定の形式で記録されていないと再生できない場合であっても、再生を行う装置の仕様に応じた形式で記録することにより様々な画像装置で再生可能とすることができる。
【発明を実施するための最良の形態】
【００２２】
以下、図を参照して、本発明を実施するための最良の形態を詳細に説明する。ただし、発明の範囲は、図示例に限定されない。
【００２３】
図１に本実施の形態に係る記録制御装置の構成を示す。記録制御装置１０は、ユーザにより持ち込まれる画像データ、動画データ、音データ等（以下、データという。）が記録された記録カードＭ、記録媒体Ｄ等の記録媒体からデータを取得する。なお、取得される画像データの形式としては、ＪＰＥＧ（Joint Photographic Experts Group）、ＴＩＦＦ（Tagged Image File Format）等、動画データとしては、ＡＶＩ（Audio-Video Interleaved）、ＭＯＶ（movie file） 等、音データとしては、ＷＡＶ（wave file）、ＭＰ３（MPEG audio layer3）等、記録制御装置１０で読み取り可能な任意の形式のデータを用いることができる。
【００２４】
なお、本発明に係る記録制御装置１０は、データの読み書き機能を備えたパソコン、ＤＶＤレコーダ、ＨＤＤレコーダ、ブルーレイディスクレコーダ、ホームサーバ、ポータブルライター、ゲーム機、ＨＤＤナビゲーションシステム、店頭端末、無人端末（いわゆるキオスク）等に適用することができる。
【００２５】
記録カードＭは、スマートメディア、コンパクトフラッシュ、メモリースティック、ＳＤメモリーカード、マルチメディアカード等であり、メディア装填部１７ａに装填されることにより、記録カードＭに記録されたデータが記録制御装置１０に取得される。
【００２６】
記録媒体Ｄは、ＣＤ−ＲＷ、ＤＶＤ−ＲＡＭ、ＤＶＤ±ＲＷ、ブルーレイディスク、ＭＯ等の書き換え可能な記録媒体であり、記録媒体装填部１７ｂに装填されることにより、記録媒体Ｄに記録されたデータが記録制御装置１０に取得される。
【００２７】
また、記録制御装置１０は、通信ネットワークＮを介して外部記憶装置であるサーバＳと接続されており、各種データの入出力を行うことが可能である。
【００２８】
サーバＳは、記録媒体を有する外部記憶装置であって、この記録媒体は磁気的、光学的記録媒体、若しくは半導体メモリで構成されている。また、サーバＳは、通信ネットワークＮを介して記録制御装置１０から送信されるデータ及び／又はファイル形式変換済みのデータの記録を行う。
【００２９】
次に、図２を参照して、図１で示した記録制御装置１０の構成を説明する。
図２に示すように、記録制御装置１０は、ＣＰＵ１１、入力部１２、表示部１３、通信制御部１４、ＲＡＭ１５、記憶部１６、取得部１７、データ処理部１８により構成され、各部はデータの送受信が可能なようにバス１９により接続されている。
【００３０】
記録制御手段としてのＣＰＵ１１は、記録制御装置１０内の各部を中央制御する。ＣＰＵ１１は、記憶部１６に記憶されている各種プログラムの中から指定されたプログラムをＲＡＭ１５のワークエリアに適宜展開し、ＲＡＭ１５上のプログラムとの協働により各種処理を実行し、その処理結果をＲＡＭ１５の所定の領域に格納するとともに、表示部１３に表示させる。
【００３１】
具体的には、データが記録された記録カードＭが記録媒体装填部１７ａに、又は記録媒体Ｄが記録媒体装填部１７ｂに装填されると、装填された記録媒体に記録されたデータの判別を行った後、記録媒体に記録されたデータを取得する制御を取得部１７に対し行う。また、取得されたデータのファイル形式に基づいてファイル形式を変換する制御をデータ処理部１８に対し行い、データ処理部１８により生成されるファイル形式変換済みのデータを、装填された記録媒体に記録する制御を行う。また、記録媒体に記録されているデータの削除や取得したデータ及びファイル形式変換済みデータのバックアップ等の制御を行う。
【００３２】
入力部１２は、カーソルキー、数字入力キー、及び各種機能キー等を備えたキーボードを含み、このキーボードで押下されたキーに対応する押下信号をＣＰＵ１１に出力する。なお、入力部１２は、必要に応じてマウス、タッチパネル等のポインティングデバイスや、その他の入力装置を備えることとしてもよい。
【００３３】
表示部１３は、ＬＣＤ（Liquid Crystal Display）やＣＲＴ（Cathode Ray Tube）等により構成され、ＣＰＵ１１から入力される表示信号の指示に従って、通信制御部１４から入力されたデータ等の各種情報、取得部１７により取得されるデータ等の表示を行う。
【００３４】
通信制御部１４は、ＬＡＮやＷＡＮ、或いはインターネット等の通信ネットワークＮに接続された伝送媒体に接続可能なインターフェイスであり、モデム又はターミナルアダプタ等によって構成される。通信制御部１４は、電話回線網、ＩＳＤＮ回線網、専用線、移動体通信網、通信衛星回線、ＣＡＴＶ回線網等の通信回線を介して外部記憶装置との通信を行うための制御を行う。
【００３５】
ＲＡＭ１５は、書き換え可能な半導体素子で構成されており、ＣＰＵ１１によって実行される各種プログラムやこれら各種プログラムによって処理されたデータ等を一時的に記憶するワークエリアを形成する。
【００３６】
記憶部１６は、プログラムやデータ等予め記憶されている記録媒体（不図示）を有しており、この記録媒体は磁気的、光学的記録媒体、若しくは半導体メモリで構成されている。この記録媒体は、記憶部１６に固定的に設けられるもの、若しくは着脱自在に装着するものであり、この記録媒体には、システムプログラム、当該システムに対応する各種処理プログラム、及び各種処理プログラムで処理されたデータ等を記憶する。なお、プログラムは、コンピュータが読取可能なプログラムコードの形態で格納され、ＣＰＵ１１は、当該プログラムコードに従った動作を逐次実行する。
【００３７】
取得部１７は、スマートメディア、コンパクトフラッシュ、メモリースティック、ＳＤメモリーカード、マルチメディアカード等の記録媒体を装填するメディア装填部１７ａと、ＣＤ−Ｒ、ＣＤ−ＲＷ，ＤＶＤ±Ｒ、ＤＶＤ±ＲＷ、ＤＶＤ−ＲＡＭ、ブルーレイディスク、ＭＯ等の記録媒体を装填する記録媒体装填部１７ｂと、から構成され、ＣＰＵ１１の制御に従い、装填された記録媒体に記録されたデータの取得を行う。また、取得記録部１７は、ＣＰＵ１１の制御に従って、上記した記録媒体に対し、データの記録を行う。なお、本実施の形態では、データの取得と記録を一つの手段として構成したが、別々の手段として構成されていてもよい。
【００３８】
データ処理部１８は、ＣＰＵ１１の指示に従い、取得部１７により取得されたデータのファイル形式に基づいて当該取得されたデータのファイル形式の変換を行う。具体的には、取得されたデータが特定の再生装置でしか再生できないようなファイル形式であった場合、多くの再生装置で再生可能なファイル形式に変換を行う。
【００３９】
ここで、データ処理部１８により行われるファイル形式の変換について説明する。
記録カードＭ、記録媒体Ｄ等の記録媒体に記録されたデータが、例えば、ＪＰＥＧ形式の静止画像データやＡＶＩ形式の動画データであった場合、これらのデータは、主にパソコンでの再生を前提としたファイル形式で生成されているためパソコンでの再生は可能であるが、ＤＶＤプレーヤーやゲーム機等の他の再生装置（以下、再生装置という。）では再生できないことがある。そのため、データ処理部１８では、ファイル形式を変換することにより、パソコン以外の再生装置においてもデータの再生を可能とする。
【００４０】
具体的には、記録カードＭ、記録媒体Ｄ等の記録媒体に記録された、静止画像データ、動画データ及び音データをＭＰＶ（Music Photo Video）規格、ＨｉｇｈＭＡＴ（High-Performance Media Access Technology（登録商標））規格に準拠した形式に変換し、記録媒体に記録することにより、当該規格に準拠した再生装置でデータを再生することが可能となる。また、記録媒体Ｄに記録されたデータがＡＶＩ形式の動画データであった場合、当該画像データのファイル形式をＭＰＥＧ２形式に変換しＤＶＤ形式の記録媒体Ｄに記録すれば、ＤＶＤ−Ｖｉｄｅｏ形式の記録媒体Ｄを作成することができ、ＭＰＥＧ１形式に変換しＣＤ形式の記録媒体Ｄに記録すれば、Ｖｉｄｅｏ−ＣＤ形式の記録媒体Ｄを作成することができる。
【００４１】
なお、再生装置で再生可能とするために必要となる再生指示用のメタファイルは、データ処理部１８によるファイル形式の変換の際に生成されるものとし、また、再生装置で再生可能とするために必要となる所定のディレクトリ構造、ファイル名等は、ファイル形式変換の際や記録媒体にファイル形式変換済みデータの記録が行われる際にＣＰＵ１１の制御により所定の形式に変換されるものとする。
【００４２】
なお、ファイル形式の変換は、上述した具体例に限定されず、他のファイル形式に変換することとしてもよい。また、多くの再生装置で再生可能なファイル形式に変換することが好ましい。また、多くの再生装置で再生可能なファイル形式を、特定の装置でのみ再生可能なファイル形式に変換するようにしてもよい。
【００４３】
以下、本実施の形態における記録制御装置１０の動作を説明する。
ここでは、データが記録された記録カードＭが記録制御装置１０のメディア装填部１７ａに装填され、記録制御装置１０により記録カードＭに記録されたデータが取得され、この取得されたデータに対しファイル形式の変換が施された後、変換済みのデータが記録カードＭに記録されるまでの動作を、実施例１、実施例２及び実施例３に分けて説明する。
【００４４】
[実施例１]
実施例１では、記録カードＭからデータが取得され、取得されたデータのファイル形式が変換された後、当該変換済みのデータが記録カードＭに記録される例を示す。
【００４５】
図３を参照して、本実施例１における記録制御処理を説明する。
まず、ユーザにより持ち込まれた記録カードＭがメディア装填部１７ａに装填されると（ステップＳ１１；Ｙｅｓ）、記録カードＭに記録されたデータのファイル形式がＣＰＵ１１の制御により判別される（ステップＳ１２）。
【００４６】
ここで、記録カードＭに本処理の対象となるデータが存在しない場合は（ステップＳ１２；Ｎｏ）、本処理は直ちに終了する。
【００４７】
一方、記録カードＭに本処理の対象となるデータが存在する場合（ステップＳ１２；Ｙｅｓ）、ＣＰＵ１１の制御により、記録カードＭに記録されたデータの取得が行われる（ステップＳ１３）。
【００４８】
ステップＳ１２で判別されたデータの形式に基づいて、取得されたデータのファイル形式が、データ処理部１８により変換される（ステップＳ１４）。
【００４９】
次いで、データ書込部１９により、ファイル形式が変換されたデータが、記録カードＭに記録されて（ステップＳ１５）、本処理は終了する。
【００５０】
上記手順でデータ及びファイル形式変換済みのデータが記録された記録カードＭは、例えば、図６に示すようなファイルツリー構造となり、再生装置で再生するデータが格納される再生装置用データ格納部と、パソコンで再生するデータが格納されるパソコン用データ格納部とを含むように構成される。
【００５１】
上記再生装置用データ格納部には、例えば、動画データ格納するフォルダ（MPEGAV）と、静止画像データや音声データを格納するフォルダ（SEGMENT）と、データをＶｉｄｅｏ−ＣＤ形式用データ等として関連付けるファイルや再生情報ファイルを格納するフォルダ（VCD）とが含まれている。
【００５２】
また、パソコン用データ格納部には、例えば、各種データを一括して管理するためのフォルダ（PSD）が生成され、この下位の階層には、ロールを管理するためのフォルダ（PS_Roll）が生成され、そのフォルダ内にロール毎のデータを格納するサブフォルダ（RO2004010300010001等）が生成され、そのサブフォルダ内に静止画像データ（OR0401030001.jpg、OR0401020002.jpg等）と動画データ（OR0401030004.avi等）と音データ（OR0401030005.wav等）等が格納される。ここで、ロールとは、フィルムカメラにおけるフィルムに相当し、撮影日毎、予め設定された画像数やデータ量毎等の基準に応じて分類される単位をいう。
【００５３】
なお、図６のファイルツリー構成は例示であり、静止画像データ、動画データ及び音データ以外にパソコン及び再生装置で実行可能なアプリケーションや、静止画像データに対応するサムネイルデータ等を含める構成としてもよい。
【００５４】
以上のように、本実施例１によれば、記録カードＭに記録されている特定の再生装置で再生可能なデータに加え、様々な再生装置で再生可能なファイル形式に変換したデータを記録カードＭに記録することにより、ＤＶＤプレーヤーやゲーム機等のパソコン以外の再生装置においてもデータを再生することができる。
【００５５】
[実施例２]
実施例２では、記録カードＭからデータが取得された後、記録カードＭに記録されているデータが消去され、取得されたデータのファイル形式が変換された後、当該変換済みのデータが記録カードＭに記録される例を示す。
【００５６】
図４を参照して、本実施例２における記録制御処理を説明する。
まず、ユーザにより持ち込まれた記録カードＭがメディア装填部１７ａに装填されると（ステップＳ２１；Ｙｅｓ）、記録カードＭに記録されたデータのファイル形式がＣＰＵ１１の制御により判別される（ステップＳ２２）。
【００５７】
ここで、記録カードＭに本処理の対象となるデータが存在しない場合は（ステップＳ２２；Ｎｏ）、本処理は直ちに終了する。
【００５８】
一方、記録カードＭに本処理の対象となるデータが存在する場合（ステップＳ２２；Ｙｅｓ）、ＣＰＵ１１の制御により、記録カードＭに記録されたデータの取得が行われ（ステップＳ２３）、記録カードＭに記録されているデータがＣＰＵ１１の制御により削除される（ステップＳ２４）。
【００５９】
次いで、ステップＳ２２で判別されたデータの形式に基づいて、取得されたデータのファイル形式が、データ処理部１８により変換される（ステップＳ２４）。
【００６０】
次いで、データ書込部１９により、ファイル形式が変換されたデータが、記録カードＭに記録されて（ステップＳ２５）、本処理は終了する。
【００６１】
以上のように、本実施例２によれば、記録カードＭに様々な再生装置で再生可能なファイル形式に変換したデータを記録することにより、ＤＶＤプレーヤーやゲーム機等のパソコン以外の再生機器においてもデータを再生することができる。また、予め記録カードＭに記録されていたデータを削除するため、記録カードＭの記憶容量を効率的に活用することができる。
【００６２】
なお、記録カードＭに記録されたファイル形式変換済みデータのファイルツリー構成は、図６に例示した再生装置用データ格納部のファイルツリー構成で記録されることとしてもよい。なお、図６の説明は実施例１で示したものと同様であるため省略する。
【００６３】
[実施例３]
実施例３では、記録カードＭからデータが取得された後、記録カードＭに記録されているデータが消去され、取得されたデータのファイル形式が変換された後、当該変換済みのデータと取得されたデータとが通信ネットワークＮを介して接続されたサーバＳに送信されるとともに当該変換済みのデータが記録カードＭに記録される例を示す。
【００６４】
図５を参照して、本実施例３における記録制御処理を説明する。
まず、ユーザにより持ち込まれた記録カードＭがメディア装填部１７ａに装填されると（ステップＳ３１；Ｙｅｓ）、記録カードＭに記録されたデータのファイル形式がＣＰＵ１１の制御により判別される（ステップＳ３２）。
【００６５】
ここで、記録カードＭに本処理の対象となるデータが存在しない場合は（ステップＳ３２；Ｎｏ）、本処理は直ちに終了する。
【００６６】
一方、記録カードＭに本処理の対象となるデータが存在する場合（ステップＳ３２；Ｙｅｓ）、ＣＰＵ１１の制御により、記録カードＭに記録されたデータの取得が行われ（ステップＳ３３）、記録カードＭに記録されたデータがＣＰＵ１１に制御により削除される（ステップＳ３４）。
【００６７】
次いで、ステップＳ３２で判別されたデータの形式に基づいて、取得されたデータのファイル形式が、データ処理部１８により変換される（ステップＳ３４）。
【００６８】
次いで、データ書込部１９により、ファイル形式が変換されたデータが、記録カードＭに記録されて（ステップＳ３５）、本処理は終了する。
【００６９】
以上のように、本実施例３によれば、記録カードＭに様々な再生装置で再生可能なファイル形式に変換したデータを記録することにより、ＤＶＤプレーヤーやゲーム機等のパソコン以外の再生機器においてもデータの再生をすることができる。また、予め記録カードＭに記録されていたデータを削除するため、記録カードＭの記憶容量を効率的に活用することができる。また、予め記録されていたデータ及び変換済みのデータをサーバＳに記録してバックアップを行うため、他のデータを上書き記録した場合や、障害等により記録カードＭに記録されたデータが失われた場合であってもサーバＳからデータ及び変換済みのデータ取得することができる。
【００７０】
なお、本実施例３では、通信ネットワークＮを介して接続されたサーバＳに取得されたデータ及びファイル形式変換後のデータを記録することとしたが、これに限らず、取得されたデータ又はファイル形式変換後のデータを記録することとしてもよい。また、記録先はサーバＳに限らず、記録制御装置１０の記憶部に記録することとしてもよいし、データの取得を行った記録カードＭとは異なる記録媒体、例えば、本実施例３では、記録媒体装填部１７ｂに装填された記録媒体Ｄ等に記録することとしてもよい。
【００７１】
また、記録カードＭに記録されたファイル形式変換済みデータのファイルツリー構成及びサーバＳに記録されたファイル形式変換前のデータ及びファイル形式変換済みデータのファイルツリー構成は、図６に例示した再生装置用データ格納部のファイルツリー構成で記録されることとしてもよい。なお、図６の説明は実施例１で示したものと同様であるため省略する。
【００７２】
以上のように、本実施の形態の記録制御装置１０によれば、記録カードＭに記録されたデータを取得して、この取得されたデータのファイル形式に基づき、様々な再生装置で再生可能なファイル形式に変換して、当該変換されたデータを記録カードＭに記録することにより、ＤＶＤプレーヤーやゲーム機等のパソコン以外の画像再生機器においてもデータを再生することができる。
【００７３】
また、予め記録カードＭに記録されていたデータを削除することにより、記録カードＭの記憶容量を効率的に活用することができる。さらに、予め記録されていたデータ及びファイル形式変換済みのデータをサーバＳに記録してバックアップを行うため、他のデータを上書き記録した場合や、障害等により記録カードＭに記録されたデータが失われた場合であってもサーバＳからデータ及び変換済みのデータ取得することができる。
【００７４】
本実施の形態では、記録媒体としてメディア装填部１７ａに装填された記録カードＭに対する処理を例示したが、記録媒体装填部１７ｂに装填された記録媒体Ｍであってもよい。なお、記録媒体Ｍは、データの書き換えが可能な記録媒体であることが好ましいが、記録媒体Ｍに記録されたデータの削除を行わない場合は、ＣＤ−Ｒ、ＤＶＤ±Ｒ、ブルーレイディスク等追記型の記録媒体であってもよい。
【００７５】
本実施の形態における記述は、本発明に係る記録制御装置１０の一例を示すものであり、これに限定されるものではない。本実施の形態における記録制御装置１０の細部構成及び詳細動作に関しては、本発明の趣旨を逸脱しない範囲で適宜変更可能である。
【図面の簡単な説明】
【００７６】
【図１】記録制御装置１０の外観構成を示す図である。
【図２】記録制御装置１０の構成を示すブロック図である。
【図３】実施例１の記録制御処理を示すフローチャートである。
【図４】実施例２の記録制御処理を示すフローチャートである。
【図５】実施例３の記録制御処理を示すフローチャートである。
【図６】記録媒体に記録されたデータのファイルツリー構造の一例を示す図である。
【符号の説明】
【００７７】
１０  記録制御装置
１１  ＣＰＵ
１２  入力部
１３  表示部
１４  通信制御部
１５  ＲＡＭ
１６  記憶部
１７  取得部
１７ａ  メディア装填部
１７ｂ  記録媒体装填部
１８  データ処理部
１９  バス
Ｄ  記録媒体
Ｍ  記録カード
Ｎ  通信ネットワーク
Ｓ  サーバ
【図１】
2005222661.tif 000003
【図２】
2005222661.tif 000004
【図３】
2005222661.tif 000005
【図４】
2005222661.tif 000006
【図５】
2005222661.tif 000007
【図６】
2005222661.tif 000008